(57)【特許請求の範囲】
【請求項１】
カムピンを有する雌側コネクタハウジングと、
前記雌側コネクタハウジングの嵌合を可能としたフード部を有する雄側コネクタハウジングと、
カムピンを有し、前記フード部内での移動を可能とされたムービングプレートと、
前記雄側コネクタハウジングに回動可能に支持され、前記雌側コネクタハウジングのカムピンと係合可能なカム溝、及び前記ムービングプレートのカムピンと係合可能なカム溝を有するレバーとを備え、
前記雌側コネクタハウジングと前記雄側コネクタハウジングの嵌合・離脱に伴ない、前記雌側コネクタハウジングのカムピンと前記カム溝との係合によって前記レバーが回動させられるとともに、このレバーの回動に伴なう前記カム溝と前記ムービングプレートのカムピンとの係合により、前記ムービングプレートが前記フード部内で移動させられるようになっており、
前記雌雄両コネクタハウジングが嵌合した状態において前記レバーを回動不能にロック可能であり、且つそのロックの解除操作を可能とされたロック手段とを備えてなるコネクタであって、
前記ロック手段が前記雌側コネクタハウジングに設けられ、且つ前記雄側コネクタハウジングから引き離すための前記雌側コネクタハウジングを掴む動作により前記ロック手段によるロックが解除される構成としたことを特徴とするコネクタ。
【請求項２】
前記ロック手段が、前記レバーに対してロック状態に係止可能な係止部と、この係止部を前記雌側コネクタハウジングに支持する弾性支持部と、前記雌側コネクタハウジングを掴む動作において押動される指当て部とからなり、掴み動作に伴う前記指当て部の押動により前記弾性撓み部が弾性変形しつつ前記係止部が前記レバーとの係止を解除する方向へ変位する構成としたことを特徴とする請求項１記載のコネクタ。
【発明の詳細な説明】
【０００１】
【発明の属する技術分野】
本発明は、ムービングプレートを備えたコネクタに関する。
【０００２】
【従来の技術】
従来、ムービングプレートを備えたコネクタとしては、特開平５−７４５１７号公報に開示されているものがある。これは、図８及び図９に示すように、フード部２内にムービングプレート３を移動可能に設けた雄側コネクタハウジング１と、フード部２に嵌合される雌側コネクタハウジング４と、フード部２に支持したレバー５と、ムービングプレート３と雌側コネクタハウジング４とに形成したカムピン３Ａ，４Ａとを備えて構成される。
【０００３】
両コネクタハウジング１，４を仮嵌合すると、レバー５の２条のカム溝６，７にカムピン３Ａ，４Ａが位置され、この状態でレバー５を回動すると、カム溝６，７とカムピン３Ａ，４Ａとの係合により両コネクタハウジング１，４が引き寄せられて正規嵌合状態に至るとともに、ムービングプレート３がフード部２内を移動する。
正規嵌合状態では、レバー５に設けた弾性ロック片８が雌側コネクタハウジング４のロック突起９に係止してレバー５が回動不能にロックされ、これにより、両コネクタハウジング１，４とムービングプレート３がロックされる。
【０００４】
嵌合状態から両コネクタハウジング１，４を離脱する際には、弾性ロック片８を撓ませてレバー５のロックを解除し、しかる後にレバー５を嵌合時と逆向きに回動する。すると、カム溝６，７とカムピン３Ａ，４Ａとの係合により両コネクタハウジング１，４が引き離されるとともに、ムービングプレート３が嵌合時と逆方向へ移動する。
このように、ムービングプレート３はレバー５の回動動作に伴ってフード部２内を移動するのである。
【０００５】
【発明が解決しようとする課題】
上記従来のコネクタにおいて両コネクタハウジング１，４を離脱する際には、まず、左手で雄側コネクタハウジング１を掴むとともに右手でレバー５の弾性ロック片８を摘んでロック解除の操作を行い、その後、レバー５の回動操作を行い、最後に右手をレバー５から離して雌側コネクタハウジング４に持ち替えて両コネクタハウジング１，４を引き離す操作を行う。このように、従来のコネクタでは、離脱の際に何度も持ち替える動作が必要であるため、作業性の向上が要求されていた。
本願発明は上記事情に鑑みて創案され、両コネクタハウジングを離脱する際の操作性向上を図ることを目的としている。
【０００６】
【課題を解決するための手段】
請求項１の発明は、カムピンを有する雌側コネクタハウジングと、前記雌側コネクタハウジングの嵌合を可能としたフード部を有する雄側コネクタハウジングと、カムピンを有し、前記フード部内での移動を可能とされたムービングプレートと、前記雄側コネクタハウジングに回動可能に支持され、前記雌側コネクタハウジングのカムピンと係合可能なカム溝、及び前記ムービングプレートのカムピンと係合可能なカム溝を有するレバーとを備え、前記雌側コネクタハウジングと前記雄側コネクタハウジングの嵌合・離脱に伴ない、前記雌側コネクタハウジングのカムピンと前記カム溝との係合によって前記レバーが回動させられるとともに、このレバーの回動に伴なう前記カム溝と前記ムービングプレートのカムピンとの係合により、前記ムービングプレートが前記フード部内で移動させられるようになっており、前記雌雄両コネクタハウジングが嵌合した状態において前記レバーを回動不能にロック可能であり、且つそのロックの解除操作を可能とされたロック手段とを備えてなるコネクタであって、前記ロック手段が前記雌側コネクタハウジングに設けられ、且つ前記雄側コネクタハウジングから引き離すための前記雌側コネクタハウジングを掴む動作により前記ロック手段によるロックが解除される構成とした。
【０００７】
請求項２の発明は、請求項１の発明において、前記ロック手段が、前記レバーに対してロック状態に係止可能な係止部と、この係止部を前記雌側コネクタハウジングに支持する弾性支持部と、前記雌側コネクタハウジングを掴む動作において押動される指当て部とからなり、掴み動作に伴う前記指当て部の押動により前記弾性撓み部が弾性変形しつつ前記係止部が前記レバーとの係止を解除する方向へ変位する構成とした
【０００８】
【発明の作用及び効果】
＜請求項１の発明＞
両コネクタハウジングを離脱する際には、一方の手で雄側コネクタハウジングを掴むとともに他方の手で雌側コネクタハウジングを掴むと、その掴み動作によりロック手段によるロックが解除される。したがって、そのまま手を持ち替えることなく両コネクタハウジングを引き離すようにすれば、両コネクタハウジングが離脱される。離脱の際に、手を何度も持ち替える必要がないから、作業性に優れている。
また、両コネクタハウジングが嵌合してレバーがロック手段により回動規制された状態では、両コネクタハウジングの離脱動作も規制される。したがって、両コネクタハウジングを嵌合状態に保持するための専用のロック機構が不要となる。
【０００９】
＜請求項２の発明＞
係止部によるレバーのロック状態では、弾性支持部の弾性保持力により係止部のレバーへの係止状態が保持される。雌側コネクタハウジングの掴み動作を解除すると、弾性支持部の弾性復元力により指当て部と係止部が元の位置に復帰するので、手動による復元操作が不要である。
【００１０】
【発明の実施の形態】
＜実施形態１＞
以下、本発明を具体化した実施形態１を図１乃至図５を参照して説明する。
本実施形態のコネクタは、雄側コネクタハウジング１０、雌側コネクタハウジング４０、レバー３０、ムービングプレート２０及び弾性ロック片（本発明の構成要件であるロック手段）４４を備えて構成される。
雄側コネクタハウジング１０は、そのキャビティ１１内に雄端子金具１２を収容し、キャビティ１２の上方の端子収容空間１３に短絡用端子金具１４を取付け、前方へ突出するフード部１５内において常には雄タブ１２Ａが短絡用端子金具１４によって短絡される構成となっている。フード部１５内には雌側コネクタハウジング４０が嵌入されるようになっており、この嵌合方向と平行なガイド溝１６がフード部１５の両側面に形成されている。
【００１１】
フード部１５内においては、前方へ枠状に突出するガイド壁２１を備えているとともにそのガイド壁２１の両外側面にカムピン２２を突成してなるムービングプレート２０が収容されている。ムービングプレート２０には雄タブ１２Ａの貫通を可能とする貫通孔２３が形成されている。ムービングプレート２０は、そのカムピン２２をガイド溝１６に嵌合させつつ両コネクタハウジング１０，４０の嵌合方向と平行に移動可能となっており、その移動範囲は図１に示す前方位置と図４に示す後方位置との間となっている。
【００１２】
フード部１５の外側面には支持軸１７が突成され、この支持軸１７にはレバー３０が回動可能に支持されている。レバー３０は、支持軸１７に嵌合された一対のアーム部３１の先端を連結部３２で連結した形状をなし、フード部１５を跨ぐ状態で図１及び図２に示す嵌合開始位置と、図３及び図４に示す嵌合完了位置との間で回動変位するようになっている。アーム部３１には、支持軸１７を中心とする渦巻き状のカム溝３３Ａ，３３Ｂがほぼ平行に２条形成されている。内側のカム溝３３Ａはムービングプレート２０のカムピン２２と係合されている。外側のカム溝３３Ｂは後述する雌側コネクタハウジング４０のカムピン４３との係合を可能とされている。連結部３２には、支持軸１７と正反対方向へ開口するロック溝３４が形成されており、このロック溝３４には弾性ロック片４４が係止されるようになっている。
【００１３】
雌側コネクタハウジング４０はそのキャビティ４１内に雌端子金具４２を収容してなり、その外側面には一対のカムピン４３が突成されている。カムピン４３は、上記レバー３０の外側のカム溝３３Ｂとの係合を可能とされている。
かかる雌側コネクタハウジング４０の上面には、弾性ロック片４４が形成されている。弾性ロック片４４は、雌側コネクタハウジング４０の上面から斜め後上方（図２における斜め左上方）に突出する左右一対の弾性支持部４５と、この両弾性支持部４５の上端同士を連結する指当て部４６とからなり、指当て部４６の前端縁（図１の右端縁）にはレバー３０のロック溝３４と係合可能な係止部４７が形成されている。
【００１４】
レバー３０が嵌合完了位置にある状態ではロック溝３４が係止部４７と真正面に対向する方向に開口し、このロック溝３４に対して係止部４７が差し込むようにして係合される。この状態では、ロック溝３４の下面が係止部４７の下面に係合することにより、レバー３０の上方へ回動変位が規制される。
また、指当て部４６は、雌側コネクタハウジング４０を上下に挟むようにした掴んだときに下方への押圧力を受けるようになっており、この押圧力が作用すると、弾性支持部４５が弾性撓みしつつ指当て部４６が斜め後下方（図１における斜め左下方）へ変位するようになっている。かかる指当て部４６の斜め後下方への変位により、係止部４７がロック溝３４から外れるようになっている。
尚、係止部４７の上面にはテーパ面４７Ａが形成されており、レバー３０が嵌合完了位置に到達するときには、連結部３２の下縁がテーパ面４７Ａに当接することにより弾性ロック片４４が弾性撓みして係止部４７がレバー３０から逃げるように変位し得るようになっている。
【００１５】
次に、本実施形態の作用について説明する。
両コネクタハウジング１０，４０を嵌合する際には、図１及び図２に示すように、レバー３０を図示しない係止手段により嵌合開始位置に仮保持しておき、その状態で、雌側コネクタハウジング４０を雄側コネクタハウジング１０のフード部１５内に嵌入する。すると、雌側コネクタハウジング４０のカムピン４３が外側のカム溝３３Ｂに係合する状態となるから、この後は、両コネクタハウジング１０，４０を強く押しつけて雌側コネクタハウジング４０をフード部１５内にさらに深く嵌合させる。このようにして嵌合を進めるのに伴い、外側のカム溝３３Ｂとカムピン４３との係合によりレバー３０が嵌合開始位置から図１の反時計方向へ回動変位する。そして、このレバー３０の回動に伴い、内側のカム溝３３Ａとカムピン２２との係合によりムービングプレート２０がフード部１５の奥側へ移動して貫通孔２３に雄タブ１２Ａを貫通させる状態となる。
【００１６】
両コネクタハウジング１０，４０の嵌合が進んでレバー３０が嵌合完了位置に接近すると、連結部３２の下縁がテーパ面４７Ａに当接し、弾性ロック片４４が弾性撓みを生じて係止部４７がレバー３０から逃げるように変位する。これにより、レバー３０が支障なく嵌合完了位置に到達することができる。レバー３０が嵌合完了位置に到達すると、弾性ロック片４４がその弾性復元力により元状態に復帰し、係止部４７がロック溝３４に係合される。これにより、レバー３０が嵌合開始位置方向への回動を規制された状態にロックされる。
【００１７】
また、レバー３０の回動が規制されると、外側のカム溝３３Ｂとカムピン４３との係合により雌側コネクタハウジング４０のフード部１５から離脱する方向への変位も規制されるので、両コネクタハウジング１０，４０は嵌合状態にロックされることになる。
尚、嵌合状態では、ムービングプレート２０のガイド壁２１が短絡用端子金具１４を押し上げて雄タブ１２Ａから離間させるので、雄タブ１２Ａ同士の短絡が解除される。
【００１８】
さて、この嵌合状態から両コネクタハウジング１０，４０を離脱する際には、次の手順により操作を行う。まず、図５に示すように、右手ＲＨで雌側コネクタハウジング４０を上下に挟むようにして掴むとともに、左手ＬＨの指を雌側コネクタハウジング４０の下面と弾性ロック片４４の指当て部４６の上面とに宛って上下に挟むように掴む。すると、この掴み動作により、弾性ロック片４４において弾性支持部４５が弾性撓みしつつ指当て部４６が斜め後下方へ変位し、係止部４７がロック溝３４から外れる。これにより、レバー３０のロックが解除されてその嵌合開始位置方向への変位が許容される。また、レバー３０の回動が許容されることにより、両コネクタハウジング１０，４０もロックを解除されて離脱方向の変位が許容される。
【００１９】
この後は、ロック解除状態のまま、即ち両手ＲＨ，ＬＨで両コネクタハウジング１０，４０の夫々を上下に摘んだ状態のままで両コネクタハウジング１０，４０を引き離すようにする。すると、外側のカム溝３３Ｂとカムピン４３との係合によりレバー３０が嵌合開始位置方向（図５の時計回り方向）へ回動変位しつつ、雌側コネクタハウジング４０がフード部１５内から引き抜かれる。また、レバー３０の回動に伴い、内側のカム溝３３Ａとカムピン２２との係合によりムービングプレート２０がフード部１５の奥から開口端に向かって移動し、ムービングプレート２０から外れた短絡用端子金具１４によって雄タブ１２Ａが短絡状態とされる。
【００２０】
両コネクタハウジング１０，４０が離脱した後、雌側コネクタハウジング４０から手を離すと、弾性ロック片４４は、弾性支持部４５の弾性復元力により係止部４７が元の位置、即ちレバー３０のロック溝３４と係合可能な位置に復帰する。したがって、この後、両コネクタハウジング１０，４０が嵌合してレバー３０が嵌合完了位置に変位したときには、係止部４７がロック溝３４に係合することができる。
【００２１】
上述のように、本実施形態においては、雄側コネクタハウジング１０から引き離すべく雌側コネクタハウジング４０を上下に挟むよう掴むだけでレバー３０のロックが解除されるようになっているので、手を持ち替える動作が不要であり、離脱時の作業性に優れている。
また、雌側コネクタハウジング４０の掴み動作を解除すると、弾性支持部４５の弾性復元力により指当て部４６と係止部４７が元の位置に復帰するので、手動による復元操作が不要である。
さらに、両コネクタハウジング１０，４０が嵌合してレバー３０が弾性ロック片４４によって回動規制された状態では、両コネクタハウジング１０，４０の離脱動作も規制されるので、両コネクタハウジング１０，４０を嵌合状態に保持するための専用のロック機構が不要となっている。
【００２２】
＜実施形態２＞
次に、本発明を具体化した実施形態２を図６及び図７を参照して説明する。
本実施形態は、ロック手段を上記実施形態１とは異なる構成としたものである。その他の構成については上記実施形態１と同じであるため、同じ構成については、同一符号を付し、構造、作用及び効果の説明は省略する。
本実施形態２のロック手段である弾性ロック片５０は、雌側コネクタハウジング４０の上面から上方に突出する弾性支持部５１と、この弾性支持部５１の上端から前方（レバーと対向する方向）へ小さく突出するとともに上面がテーパ面５２Ａとされた係止部５２と、弾性支持部５１の上端から後方（係止部５２と反対方向）へ片持ち状に大きく延出する指当て部５３とからなる。弾性支持部５１は、雌側コネクタハウジング４０を掴む動作に際して指（図６及び図７には示さない）で指当て部５３を下方へ押し下げるのに伴い、後傾方向へ弾性撓みを生じるようになっている。そして、この弾性支持部５１の弾性撓みに伴い、係止部５２が斜め後下方へ変位してロック溝３４から外れるようになっている（図７を参照）。
また、指当て部５３の延出端部は、鈍角状に屈曲して雌側コネクタハウジング４０の上面への密着を可能とされた当接部５３Ａとされている。掴み動作の際にはこの当接部５３Ａが雌側コネクタハウジング４０の上面に密着することにより、弾性ロック片５０の遊動が規制され、掴み動作が安定化する効果がある。
【００２３】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態ではレバーの回動に連動して両コネクタハウジングが嵌合・離脱されるようにしたが、本発明によれば、レバーが雌側コネクタハウジングと係合せず、ムービングプレート専用のものであってもよい。
【００２４】
（２）上記実施形態では短絡金具によって雄タブが短絡されるものについて説明したが、本発明は短絡機能を備えないコネクタにも適用することができる。
（３）上記実施形態では雌側コネクタハウジングを上下に挟むように掴むようにしたが、本発明によれば、左右両側方から挟む等、掴む形態は任意である。
（４）弾性ロック片の構成及び弾性撓みの形態、係止部の変位形態等は上記実施形態のものに限らず、要するに雌側コネクタハウジングを掴む際にロックが解除される構成とされているものであれば任意の形態とすることができる。
【図面の簡単な説明】
【図１】実施形態１において両コネクタハウジングが離脱した状態をあらわす側面図
【図２】実施形態１において両コネクタハウジングが離脱した状態をあらわす断面図
【図３】実施形態１において両コネクタハウジングが嵌合した状態をあらわす側面図
【図４】実施形態１において両コネクタハウジングが嵌合した状態をあらわす断面図
【図５】実施形態１においてレバーのロックを解除している状態をあらわす断面図
【図６】実施形態２においてレバーをロックした状態をあらわす部分一部切欠側面図
【図７】実施形態２においてレバーのロックを解除している状態をあらわす一部切欠側面図
【図８】従来例において両コネクタハウジングの嵌合途中の状態をあらわす断面図
【図９】従来例において両コネクタハウジングが嵌合した状態をあらわす断面図
【符号の説明】
１０…雄側コネクタハウジング
１５…フード部
２０…ムービングプレート
３０…レバー
４０…雌側コネクタハウジング
４４…弾性ロック片（ロック手段）
４５…弾性支持部
４６…指当て部
４７…係止部
５０…弾性ロック片（ロック手段）
５１…弾性支持部
５２…係止部
５３…指当て部
【図１】
0003603562.tif 000002
【図２】
0003603562.tif 000003
【図３】
0003603562.tif 000004
【図４】
0003603562.tif 000005
【図５】
0003603562.tif 000006
【図６】
0003603562.tif 000007
【図７】
0003603562.tif 000008
【図８】
0003603562.tif 000009
【図９】
0003603562.tif 000010